(57)【要約】【課題】ファスナーの装着されている密封された包装用袋体を破って開封した後に、後からファスナーに取り付け可能で、他の袋体のファスナーにも簡単に取り付けや取り外しがしやすいファスナー用スライダを提供する。【解決手段】ファスナーＦの雄係合部材と雌係合部材とを分離する突起部２Ａを設けた一方のスライダ部材２と、雄係合部材と雌係合部材とを係合する狭窄部３Ｃを設けた他方のスライダ部材３とより成り、外側から一方のスライダ部材２の突起部２Ａで係合状態の雄係合部材と雌係合部材との間に割り込ませ、他方のスライダ部材３の狭窄部３Ｃで分離状態の雄係合部材と雌係合部材とを嵌合挟持させ、一方のスライダ部材２には他方の係合部材３方向に伸びる突起２Ｉを設けた二本の突出部２Ｅを設けると共に他方のスライダ部材３には、該突出部２Ｅが穴３Ｆから突出するように嵌め入れる穴３Ｆを設ける。穴３Ｆには前記突出部２Ｅの突起２Ｉが係止する突起３Ｌを設ける。【選択図】    図１６
2010134222.tif 000002
【特許請求の範囲】
【請求項１】
包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ）を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材には、前記包装用袋体のファスナー（Ｆ）の外側から該ファスナー（Ｆ）で係合状態の雄係合部材と雌係合部材との間に割り込ませる突起部と、他方の係合部材方向に伸びる二本の突出部とを形成するとともに、
前記他方のスライダ部材には、分離状態の雄係合部材と雌係合部材とを嵌合挟持させる狭窄部と、前記二本の突出部を嵌め入れる穴を設け、前記一方のスライダ部材と他方のスライダ部材とを一体嵌合させたとき、前記一方のスライダ部材に設けた二本の突出部が前記他方のスライダ部材の穴（３Ｆ）から突出する嵌合構造としたことを特徴とするファスナー用スライダ。
【請求項２】
包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材（２）には、前記包装用袋体のファスナー（Ｆ）の外側から該ファスナー（Ｆ）で係合状態の雄係合部材と雌係合部材との間に割り込ませる突起部と、他方の係合部材方向に伸び且つ先端に突起を設けたる二本の突出部とを形成するとともに、
前記他方のスライダ部材には、分離状態の雄係合部材と雌係合部材とを嵌合挟持させる狭窄部と、前記二本の突出部を嵌め入れる穴であって出口端部に前記二本の突出部の先端の突起を嵌める凹部を形成した穴を設け、前記一方のスライダ部材と他方のスライダ部材とを一体嵌合させたとき、前記一方のスライダ部材に設けた二本の突出部が前記他方のスライダ部材の穴から突出する嵌合構造としたことを特徴とするフエスナー用スライダ。
【請求項３】
包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材には、前記包装用袋体のファスナー（Ｆ）の更に外側から該ファスナー（Ｆ）で係合状態の雄係合部材と雌係合部材との間に割り込ませる突起部と、他方の係合部材方向に伸び且つ先端に突起を設けた二本の突出部とを設けるとともに、
前記他方のスライダ部材には、分離状態の雄係合部材と雌係合部材とを嵌合挟持させる狭窄部と、前記二本の突出部を嵌め入れる穴であって、出口端部に前記二本の突出部の先端の突起２Ｉを嵌める凹部を形成すると共に該穴の一方のスライダ部材側には、前記一方のスライダ部材に設けた二本の突出部先端の突起と係止する突起を形成したことを特徴とするフエスナー用スライダ。
【請求項４】
前記他方のスライダ部材の挟持部の両側の内壁には、包装用袋体に設けたファスナー部の膨らみを嵌め入れる凹部を形成したことを特徴とする請求項１乃至請求項４のいずれかに記載のファスナー用スライダ。
【請求項５】
前記包装用袋体のファスナー（Ｆ）の開口部より外側端部に密封部を形成し、該密封部を破断してファスナー用スライダを嵌め込むようにしたことを特徴とする請求項１乃至請求項５のいずれかに記載のファスナー用スライダ。
【請求項６】
前記一方のスライダ部材の突起部が、スライド方向に該突起部より低い突起部を形成してあることを特徴とする請求項１乃至請求項６のいずれかに記載のファスナー用スライダ。
【請求項７】
前記一方のスライダ部材の突起部の先端近傍には、くびれを設けることを特徴とする請求項１乃至請求項７のいずれかに記載のファスナー用スライダ。
【発明の詳細な説明】
【技術分野】
【０００１】
本発明は、既存のファスナー付包装用袋体、特にファスナーより外側の上端部が密封状態とされたファスナー付包装用袋体でも使用可能で、該ファスナー近傍を破ってからファスナー部分に取り付けることが可能であり、分割型スライダとして形成し、これらを嵌合させて一つのスライダとして組み立て、ファスナーを開閉自在とすることのできるファスナー用スライダに関する。
【背景技術】
【０００２】
従来より、合成樹脂フィルム製の包装用袋体には、ファスナー（チャックともいう）付の包装用袋体が使用されることが多い。かかる包装用袋体のファスナーは、塵埃や水分の侵入を防止したり包装用袋体に入れた物品が遺失したりするのを防止するための手段として設けられている。従来のファスナー付の包装用袋体の殆どはこのファスナーを手で開閉するか、或いはファスナーを開閉するためのスライダが取り付けられている。即ち、スライダを用いる場合、図３０に示すように、包装用袋体Ｗの口部ＥにはファスナーＦが設けられ、開閉用のスライダ１０が取り付けられる。このファスナーＦに取り付けたスライダ１０は、矢印Ｒ方向にスライドさせるとファスナーＦが開口され、矢印Ｓ方向にスライドさせるとファスナーＦは閉鎖される。【０００３】
通常、前記ファスナーＦは、図２８（Ａ）に示すように、一方の内側面Ｗ1 に凸条部Ｆ３を設けた雄係合部材Ｆ１と、他方の内側面Ｗ2 に前記凸条部Ｆ３を係脱自在に嵌め入れる凹状の係合溝Ｆ４を設けた雌係合部材Ｆ２と、がそれぞれ袋体の口部Ｅの内側に接着して設けられる。そして当初は包装用袋体ＷのファスナーＦが閉じているときは、雄係合部材Ｆ１の凸条部Ｆ３と、雌係合部材Ｆ２の係合溝Ｆ４とは嵌合状態であるが、包装用袋体Ｗの口部Ｅを開けるときには図２８（Ｂ）に示すように、スライダ１０の突起部１０Ａを、ファスナーＦの凸条部Ｆ３と係合溝Ｆ４との間に割り込むように挿入し、該スライダ１０をスライド（移動）させると、口部Ｅは開口状態となる。次に、包装用袋体Ｗの口部Ｅを閉じるときには図２８（Ｃ）に示すように、スライダ１０の狭窄部１０Ｃを、雄係合部材Ｆ１と雌係合部材Ｆ２の間の外側に位置させて該スライダ１０をスライド（移動）させる。すると、狭窄部１０ｃが包装用袋体Ｗの口部Ｅを両側から圧迫して口部Ｅは閉鎖状態となる。【０００４】
図２９（Ａ）は、前記従来のスライダ１０の斜視図であり、図２９（Ｂ）は、その半割にした状態の斜視である。これらの図では、内容が判りやすいように実際の使用状態とは上下逆向き（突起部１０Ａと狭窄部１０Ｃが上方に向いている）としてある。これらの図に示すように、従来のスライダ１０は、中央部分を広くした中心線方向片側寄りの内側空間１０Ｅに立設させた突起部１０Ａと、底部１０Ｂの両側に立設させた両側壁１０Ｄ、１０Ｄと、他方の片側寄りに空間の狭い狭窄部１０Ｃを形成した壁部１０Ｆ、１０Ｆと、で構成されている。該スライダ１０は、包装用袋体Ｗの口部Ｅに設けたファスナーＦに、後から係止させることも可能である。このような構成により、上記するように、スライダ１０を取り付ける場合、スライダ１０の突起部１０Ａを上から割り込ませると共に狭窄部１０Ｃで包装用袋体Ｗの口部Ｅの外側の両側かから挟み込ませるように取り付ける。こうして前記スライダ１０を矢印Ｒ方向（図３０）へスライドさせるとスライダ１０はファスナーＦの口部Ｅを開口し、矢印Ｓ方向へスライドさせるとファスナーＦの口部Ｅを閉鎖することができる。【０００５】
図３０に示すようなスライダが最も便利であるが、製作用の金型は少し複雑化せざるを得ない。そこで本出願人は、図２６及び図２７に示すような嵌合式のファスナー用スライダを提案した。即ち、ファスナー用のスライダが、袋体の口部に設けられ一方の内側面に凸条部Ｆ３を設けた雄係合部材と他方の内側面に前記凸条部Ｆ３を係脱自在に嵌め入れる嵌合溝を設けた雌係合部材Ｆ２とより成るファスナーＦのこれら雄係合部材Ｆ１と雌係合部材Ｆ２とを分離する突起部３２Ａを形成した一方のスライダ部材３２と、これら雄係合部材Ｆ１と雌係合部材Ｆ２とを嵌合する狭窄部３３Ｃを形成した他方のスライダ部材３３と、より成るスライダ３１であって、分割して形成された前記一方のスライダ部材３２と他方のスライダ部材３３とが一体となる嵌合構造としたことを特徴としたファスナー用スライダである（特許文献１）。
そして、前記突起部３２Ａを設けた一方のスライダ部材２２の両側には側壁３２Ｃを形成し、他方のスライダ部材３３の狭窄部３３Ｃの両側に柱部２３Ａを形成すると共に該柱部３３Ａの両外側に凹部３３Ｅを形成し、前記側壁３２Ｃを前記凹部３３Ｅに嵌合させる嵌合構造とすることを特徴としている（特許文献１）。【０００６】
【特許文献１】特願２００８−１４８２３１
【発明の開示】
【発明が解決しようとする課題】
【０００７】
図３０に示すスライダ１０は、包装用袋体Ｗの口部に設けたファスナーＦを密閉することができる。しかし、包装用袋体には、図２５に示すように、ファスナーＦを設け且つその外側の端部を密閉したものもある。このようなファスナーＦを設けた包装用袋体Ｗは、開封した後、外部から塵埃や水分が入ったり、包装用袋体Ｗ内部に収容した物がこぼれたりしないよう密封して置くためである。しかし、かかる密封用ファスナーを設けた包装用袋体Ｗは、スライダ１０を使用することはできず、ファスナーＦの近傍を手で破ったり、鋏で切ったりして開封した後、密封するためにはファスナーＦ部分を手で押して密封したり、破った口から手（指）を入れて開封するしかなかった。また、図２６に示すような分割型のスライダ３１は、一旦組み立ててファスナーＦに取り付けた後は分解しにくく取り外して再使用するのが煩雑であった。また、一方のスライダ部材２２は包装用袋体ＷのファスナＦの端部に来ると、そのまま外側へ出てしまい、外れやすいという問題がある。また、一方のスライダ部材３２と、他方のスライダ部材３３を外した場合、分割型であるため一方を紛失しやすいという問題がある。【０００８】
本発明は、上記課題に対処するためになされたものであり、ファスナーの装着されている密封された包装用袋体Ｗを破って開封した後に、後からファスナーに取り付け可能で、構造が比較的簡単でファスナーの端部からも取り付け可能であり、且つ一旦袋体のファスナーに取り付けても取り外し易いファスナー用スライダを提供することを目的としている。さらに、ファスナーから外して他の袋体のファスナーにも簡単に取り付けや取り外しがしやすく、また、包装用袋体Ｗの端部に来てもそこでスライダ部材が停止し、包装用袋体ＷのファスナーＦから外れず、且つ一方のスライダ部材と他方のスライダ部材を外しても完全に分離されずいずれのスライダ部材も紛失されないファスナー用スライダを提供することを目的としている。
【課題を解決するための手段】
【０００９】
上記の目的を達成するため、本発明の請求項１に記載の発明は、包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ）を形成した一方のスライダ部材（２、２２）と、前記雄係合部材と前記雌係合部材とを係合する狭窄部（３Ｃ、２３Ｃ）を形成した他方のスライダ部材（３、２３）とより成り、これら一方のスライダ部材（２、２２）と他方のスライダ部材（３、２３）とを嵌合してなるファスナー用スライダにおいて、
前記一方のスライダ部材（２、２２）には、前記包装用袋体のファスナー（Ｆ）の外側から該ファスナー（Ｆ）で係合状態の雄係合部材と雌係合部材との間に割り込ませる突起部（２Ａ、２２Ａ）と、他方の係合部材（３、２３）方向に伸びる二本の突出部（２Ｅ、２２Ｅ）とを形成するとともに、
前記他方のスライダ部材（３、２３）には、分離状態の雄係合部材と雌係合部材とを嵌合挟持させる狭窄部（３Ｃ、２３Ｃ）と、前記二本の突出部（２Ｅ、２２Ｅ）を嵌め入れる穴（３Ｆ、２３Ｆ）を設け、前記一方のスライダ部材（２、２２）と他方のスライダ部材（３、２３）とを一体嵌合させたとき、前記一方のスライダ部材（２、２２）に設けた二本の突出部（２Ｅ、２２Ｅ）が前記他方のスライダ部材（３、２３）の穴（３Ｆ２３Ｆ）から突出する嵌合構造としたことを特徴としている。【００１０】
さらに、請求項２に記載の発明は、包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ、２２Ａ）を形成した一方のスライダ部材（２、２２）と、前記雄係合部材と前記雌係合部材とを係合する狭窄部（３Ｃ、２３Ｃ）を形成した他方のスライダ部材（３、２３）とより成り、これら一方のスライダ部材（２、２２）と他方のスライダ部材（３、２３）とを嵌合してなるファスナー用スライダにおいて、
前記一方のスライダ部材（２、２２）には、前記包装用袋体のファスナー（Ｆ）の外側から該ファスナー（Ｆ）で係合状態の雄係合部材と雌係合部材との間に割り込ませる突起部（２Ａ、２２Ａ）と、他方の係合部材（３、２３）方向に伸び且つ先端に突起（２Ｉ、２２Ｉ）を設けたる二本の突出部（２Ｅ、２２Ｅ）とを形成するとともに、
前記他方のスライダ部材（３、２３）には、分離状態の雄係合部材と雌係合部材とを嵌合挟持させる狭窄部（３Ｃ、２３Ｃ）と、前記二本の突出部（２Ｅ、２２Ｅ）を嵌め入れる穴（３Ｆ、２３Ｆ）であって出口端部に前記二本の突出部（２Ｅ、２２Ｅ）の先端の突起２Ｉを嵌める凹部３Ｈを形成した穴（３Ｆ、２３Ｆ）を設け、前記一方のスライダ部材（２、２２）と他方のスライダ部材（３、２３）とを一体嵌合させたとき、前記一方のスライダ部材（２、２２）に設けた二本の突出部（２Ｅ、２２Ｅ）が前記他方のスライダ部材（３、２３）の穴（３Ｆ、２３Ｆ）から突出する嵌合構造としたことを特徴としている。【００１１】
さらに、請求項３に記載の発明は、包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ、２２Ａ）を形成した一方のスライダ部材（２２）と、前記雄係合部材と前記雌係合部材とを係合する狭窄部（２３Ｃ）を形成した他方のスライダ部材（２３）とより成り、これら一方のスライダ部材（２２）と他方のスライダ部材（２３）とを嵌合してなるファスナー用スライダにおいて、
前記一方のスライダ部材（２２）には、前記包装用袋体のファスナー（Ｆ）の更に外側から該ファスナー（Ｆ）で係合状態の雄係合部材と雌係合部材との間に割り込ませる突起部（２２Ａ）と、他方の係合部材（２３）方向に伸び且つ先端に突起２Ｉを設けた二本の突出部（２２Ｅ）とを設けるとともに、
前記他方のスライダ部材（２３）には、分離状態の雄係合部材と雌係合部材とを嵌合挟持させる狭窄部（２３Ｃ）と、前記二本の突出部（２２Ｅ）を嵌め入れる穴（２３Ｆ）であって、出口端部に前記二本の突出部（２２Ｅ）の先端の突起（２２Ｉ）を嵌める凹部３Ｈを形成すると共に該穴（２３Ｆ）の一方のスライダ部材側には、前記一方のスライダ部材（２２）に設けた二本の突出部（２２Ｅ）先端の突起（２２Ｉ）と係止する突起（２３Ｌ）を形成したことを特徴としている。【００１２】
また、請求項４に記載の発明は、前記他方のスライダ部材（３、２３）の挟持部（３Ｃ、２３Ｃ）の両側の内壁（３Ｄ、２３Ｄ）には、包装用袋体に設けたファスナー部の膨らみを嵌め入れる凹部（３Ｅ、２３Ｅ）を形成したことを特徴としている。【００１３】
請求項５に記載の発明は、包装用袋体のファスナー（Ｆ）の開口部より外側端部に密封部を形成し、該密封部を破断してファスナー用スライダを嵌め込むようにしたことを特徴としている。【００１４】
また、請求項６に記載の発明は、前記突起部（２Ａ、２３Ａ）が、スライド方向に該突起部（２Ａ、２２Ａ）より低い突起部（２Ｊ、２２Ｊ）を形成してあることを特徴としている。【００１５】
また、請求項７に記載の発明は、前記一方のスライダ部材（２、２２）の突起部（２Ａ、２２Ａ）部の先端近傍には、くびれ（２Ｑ、２２Ｑ）を設けることを特徴としている。
【発明の効果】
【００１６】
上記手段とした本発明のファスナー用スライダによれば、密封されたファスナー付包装用袋体をファスナー近傍で手で破ったり、鋏で切った後でも該ファスナーに取り付けることができる。この場合、突起部のある一方のスライダ部材と狭窄部のある他方のスライダ部材とを別々に製作し、容易に嵌合して一体とし、通常のスライダと同様のスライダとすることができる。
このスライダは、閉鎖状態のファスナーの間に突起部のある一方のスライダ部材を容易に割り込ませてファスナーを開くことができる。また、一旦包装用袋体の口部にファスナーを開閉できるように取り付けたこの発明のファスナー用スライダは、二本の突出部を寄せるように押すだけで一方のスライダ部材と他方のスライダ部材に分解して取り外すことができる。【００１７】
本発明ファスナー用スライダは、一方のスライダ部材と、他方のスライダ部材とは分離しない「半嵌合状態」とすることができる。この結果、いずれかのスライダ部材を紛失する虞が少なくなる。すなわち、図１や図５に示すように、一方のスライダ部材２と他方のスライダ部材とが嵌合状態のとき通常のスライダとなる。しかし、二本の突出部２Ｅをつまんで該二本の突出部２Ｅを他方のスライダ３の穴３Ｆから抜き出すと、図２０（Ｂ）に示すように途中で該二本の突出部２Ｅの突起２Ｉが前記穴（３Ｆ）の内壁の一方の前記一方のスライダ部材（２）寄りに形成した突起３Ｌに係止するため、ここで「半嵌合状態」となる。このため両方のスライダ部材がつながったまま分離されるため落下しない。また、この「半嵌合状態」でファスナーＦに一方のスライダ部材２を嵌め入れやすくなる。【００１８】
また、上記手段とした本発明のファスナー用スライダによれば、密封されたファスナー付包装用袋体をファスナー近傍で手で破ったり、鋏で切った後でも該ファスナーに取り付けることができる。この場合、突起部のある一方のスライダ部材と狭窄部のある他方のスライダ部材とを別々に製作し、容易に嵌合して一体とし、通常のスライダと同様のスライダとすることができる。
特に、本発明のファスナー用スライダは、密封状態のファスナー付包装用袋体のファスナーの近傍を破ったり、鋏で切った袋体のファスナーに取り付けることが可能であり、しかも取り付け、取り外しが簡単にできるので、殆どのファスナーを取り付けた密封型の包装用袋体に使用することができる。特に、手段７によれば、くびれにファスナーの凸条部が嵌まり、該凸条部に嵌め入れる嵌合溝とを安定的に分離することができる。そして、手段４によれば、狭窄部の凹溝に袋体のファスナーの膨らみによる凸部を嵌合させてスライダを安定的に取り付けることができる。【００１９】
更に、本発明のファスナー用スライダは、別個の二つの部分からなり、一体嵌合させるためファスナー用スライダを成形する金型の構造も簡単であり、安価に製作することができる。また、ファスナーの端部の一方の横から一方のスライダ部材を嵌め込み、別途上から他方のスライダ部材をファスナーの上から入れてファスナー部分を狭窄部で挟持させ、嵌合することができる。
【図面の簡単な説明】
【００２０】
【図１】本発明のファスナー用スライダ１の組立状態の全体斜視図である。
【図２】本発明のファスナー用スライダを構成する一方のスライダ部材と、他方のスライダ部材と、を一体嵌合させて組み立てる前の状態の分解斜視図である。
【図３】図１に示す一体嵌合させ上下逆にした状態の組立斜視図である。
【図４】一方のスライダ部材と、他方のスライダ部材とが組み立てられる前の上下逆にした状態の分解斜視図である。
【図５】図５（Ａ）は、本発明のファスナー用スライダ１の組立状態の平面図であり、図５（Ｂ）は、正面図であり、図５（Ｃ）は、底面図である。
【図６】図６（Ａ）は、本発明のファスナー用スライダ１の一方のスライダ部材２のＰ矢視側面図であり、図６（Ｂ）は、他方のスライダ部材３のＱ矢視側面図である。
【図７】図７（Ａ）は、図５（Ａ）のＡ−Ａ矢視断面図であり、図７Ｂ）は、図５（Ｂ）のＢ−Ｂ矢視断面図である。
【図８】図８（Ａ）は、図５（Ｂ）のＣ−Ｃ矢視矢視断面図であり、図８（Ｂ）は、図５（Ｂ）のＤ−Ｄ矢視断面図である。
【図９】本発明の他方のスライダ部材の狭窄部にファスナーを取り付けて閉じる状態を示す一部拡大図である。
【図１０】本発明の一方のスライダ部材の突起部を閉じたファスナーに割り込ませる状態の一部拡大図である。
【図１１】上に長くしたスライダを包装用袋体のファスナーに取り付けた状態の正面図である。
【図１２】図１２（Ａ）は、一方のスライダ部材の内壁面と内壁面との間の空間を上方向に長くした図５（Ｂ）と同様のＤ−Ｄ断面図であり、図１２（Ｂ）は、他方のスライダ部材の狭窄部の上部の空間を長くした断面図である。
【図１３】図１に示す本発明のファスナー用スライダを密封用袋体のファスナーに取り付ける途中の斜視図である。
【図１４】図１に示す本発明のファスナー用スライダを密封用袋体のファスナーに取り付けた状態の斜視図である。
【図１５】図１５（Ａ）は、包装用袋体Ｗの口部Ｅに嵌め入れたスライダがファスナーの端部まで来た状態を示す図であり、図１５（Ｂ）は、図１５（Ａ）のＧ−Ｇ矢視断面図である。
【図１６】本発明より第２の実施例のファスナー用スライダの斜視図である  図１６（Ａ）は、本願発明のファスナー用スライダ１の第２の実施例の組立状態の全体斜視図であり、図１６（Ｂ）は、一方のスライダ部材２を他方のスライダ部材から少し引き出した半嵌合状態の斜視図であり、図１６（Ｃ）は、分離した状態の斜視図である。
【図１７】本発明の第２の実施例の他の方向から見た斜視図である。図１７（Ａ）は組立状態の全体斜視図であり、図１７（Ｂ）は一方のスライダ部材２を他方のスライダ部材から少し引き出した半嵌合状態の斜視図であり、図１７（Ｃ）は、分離した状態の斜視図である。
【図１８】本発明の第２の実施例のファスナー用スライダであって、上下を逆にして見た全体斜視図である。図１６（Ａ）は組立状態の全体斜視図であり、図１８（Ｂ）は一方のスライダ部材１８他方のスライダ部材から少し引き出した半嵌合状態の斜視図であり、図１８（Ｃ）は、分離した状態の斜視図である。
【図１９】図１９（Ａ）は、本発明の第２の実施例の正面図であり、図１９（Ｂ）は平面図であり、図１９（Ｃ）は低面図であり、図１９（Ｄ）は左側面図であり、図１９（Ｅ）は右側面図である。
【図２０】図２０（Ａ）は図１９（Ａ）のＡ−Ａ矢視断面図であり、図２０（Ｂ）は図１９（Ａ）のＣ−Ｃ矢視断面図である。
【図２１】図２１（Ａ）は、図１９（Ｂ）のＢ−Ｂ矢視断面図であって、一方のスライド部材を他方のスライド部材２３から抜いて、途中で二本の突出部の突起が、他方のスライダ部材の穴の突起に係止した状態を示す図、図２１（Ｂ）は、図２１（Ａ）のＡ−Ａ矢視断面図で同様の状態を示す図である。
【図２２】本発明のファスナー用スライダを包装用袋体Ｗのファスナーに取り付ける状態の全体斜視図である。
【図２３】本発明の第２の実施例のファスナー用スライダの斜視図であって、他方のスライダ部材にストラップの取付具を設けた状態の斜視図である。
【図２４】本発明の第２の実施例のファスナー用スライダにファッションバングのような包装用袋体のファスナーにストラップを取り付けた状態の斜視図である。
【図２５】従来から使用されている密封部付き包装用袋体の全体斜視図である。
【図２６】従来のファスナー付包装用袋体に使用する従来の分割型のファスナー用スライダの斜視図である。
【図２７】従来のファスナー付包装用袋体に使用する従来の分割型のファスナー用スライダであって分解した状態の斜視図である。
【図２８】通常の包装用袋体に設けるファスナーの構造を示す図であり、図２８（Ｂ）は、閉じてあるファスナーにスライダの凸起部をファスナーを割り込ませてファスナーを開ける状態を示す図であり、図２８（Ｃ）は、開いてあるファスナーをスライダの狭窄部で閉じる状態を示す図である。
【図２９】図２９（Ａ）は、従来の一体型のファスナー用スライダの全体斜視図であり、  図２９（Ｂ）は、その半割した状態の斜視図である。
【図３０】従来の包装用袋体の口部に設けたファスナーに従来のスライダを取り付けた状態の斜視図である。
【発明を実施するための最良の形態】
【００２１】
以下、図面を参照して本願発明の具体的な実施の形態を詳述する。【００２２】
図１は、本発明のファスナー用スライダ１の組立状態の全体斜視図であり、図２は本発明のファスナー用スライダ１を構成する一方のスライダ部材２と、他方のスライダ部材３と、を一体嵌合させて組み立てる前の状態の分解斜視図である。また、図３は、図１に示す一体嵌合させ上下逆にした状態の組立斜視図であり、図４は、図３の一方のスライダ部材２と、他方のスライダ部材３と、を一体嵌合させて組み立てる前の上下逆にした状態の分解斜視図である。更に、図５（Ａ）は、本発明のファスナー用スライダ１の組立状態の平面図であり、図５（Ｂ）は、正面図であり、図５（Ｃ）は、底面図である。また、図６（Ａ）は、本発明のファスナー用スライダ１の図２に示す一方のスライダ部材２のＰ矢視側面図であり、図６（Ｂ）は、図２に示す他方のスライダ部材３のＱ矢視側面図である。図７（Ａ）は、図５（Ａ）のＡ−Ａ矢視断面図であり、図７Ｂ）は、図５（Ｂ）のＢ−Ｂ矢視断面図である。図８（Ａ）は、図５（Ｂ）のＣ−Ｃ矢視矢視断面図であり、図８（Ｂ）は、図５（Ｂ）のＤ−Ｄ矢視断面図である。【００２３】
本発明のファスナー用スライダ１は、図１乃至図４に示すように、ファスナーの係合状態の雄係合部材Ｆ１と雌係合部材Ｆ２（いずれも図１９参照）とを分離する突起部２Ａおよびこれより低い突起部２Ｊを有すると共に、二本の突出部２Ｅ、２Ｅとを形成した一方のスライダ部材２と、前記雄係合部材Ｆ１と雌係合部材Ｆ２とを係合する狭窄部３Ｃを形成した他方のスライダ部材３とより構成される。そして前記一方のスライダ部材２に形成される突起部２Ａは、底部２Ｂ（図２および図８（Ｂ）参照）に立設させ、二本の突出部２Ｅ、２Ｅは、前記他方のスライダ部材３方向に且つ、該他方のスライダ部材３との嵌合面２Ｃに立設される。また、前記他方のスライダ部材３には、前記二本の突出部２Ｅ、２Ｅを嵌め入れる穴３Ｆが貫通するように設けてある。そして、前記一方のスライダ部材２と他方のスライダ部材３とを一体嵌合したとき、前記一方の係合部材２に設けた二本の突出部２Ｅ、２Ｅは、前記他方の係合部材３の穴３Ｆから少し突出するような嵌合構造としてある。【００２４】
前記他方のスライダ部材３には、上記するように、ファスナーＦを外側から挟持させるための狭窄部３Ｃが形成してある。そして、図９に示すように、該狭窄部３Ｃの両側壁部３Ｄ、３Ｄには、ファスナーＦが無理なく嵌まるように、溝部３Ｅ、３Ｅが設けてある。この両側の溝部３Ｅ、３Ｅにより、包装用袋体ＷのファスナーＦは、雄係合部材Ｆ１と雌係合部材Ｆ２とにより形成される凸状の膨らみによる凸部が嵌合し、ファスナー用スライダ１をフエスナーＦに安定的に取り付けることができる。【００２５】
前記一方のスライダ部材２の突起部２Ａの先端部は少し丸みができるような先端部２Ｐを形成するとファスナーＦの嵌合部に入り込みやすい。そして該突起部２Ａの先端部２Ｐの近傍にはくびれ２Ｑを設ける。この先端部２Ｐ近傍のくびれ２Ｑには、図１０に示すように、突起部２Ａをファスナの雄係合部材Ｆ１と雌係合部材Ｆ２に割り込ませたとき、分離されたファスナーの凸条部Ｆ３と係合溝Ｆ４とが嵌まり、該凸条部Ｆ３に嵌め入れる嵌合溝Ｆ４とを安定的に分離することができる。前記スライダ部材２の突起部２Ａには連続して少し低く且つスライド方向に突起部２Ｊが形成される。【００２６】
また、前記他方のスライダ部材３に設ける穴３Ｆは、前記一方のスライダ部材２と該他方のスライダ部材３とを一体としたとき前記二本の突出部２Ｅ、２Ｅが丁度嵌まる位置に設けてある。この場合、これら二本の突出部２Ｅ、２Ｅが前記他方の係合部材の穴３Ｆから少し突出するようにしてあるが、これは、図１に示す状態のとき、これら二本の突出部２Ｅ、２Ｅを両側から指で押すことができるようにするためである。こうして二本の突出部２Ｅ、２Ｅは、指で押すと、弾性変形してこれら二本の突出部２Ｅ、２Ｅの間隔が狭まり、穴３Ｆから外しやすくなる。このように二本の突出部２Ｅ、２Ｅの間の間隔が狭まり、穴３Ｆから外しやすくなると、包装用袋体ＷのファスナーＦからも外れやすくなり、スライダ１を外し交換しやすくなり、便利である。【００２７】
次に、図３および図４に示すように、前記一方のスライダ部材２の二本の突出部２Ｅ、２Ｅの反対側（下側）の内壁面２Ｈ、２Ｈの上部には段部２Ｇ、２Ｇを形成し、他方のスライダ部材３の前記二本の突出部２Ｅ、２Ｅを嵌め入れる穴３Ｆを設けた他方のスライダ部材３側（下側）には前記段部２Ｇ、２Ｇに嵌合する突出部３Ｇ、３Ｇを形成した嵌合構造とする。このように段部２Ｇと突出部３Ｇとの嵌合により一方のスライダ部材２と他方のスライダ部材３とはしっかりとした嵌合構造となる。【００２８】
或いは、前記二本の突出部２Ｅ、２Ｅを設けた前記一方のスライダ部材２側には、前記突出部３Ｇと同様の突出部を形成し、前記二本の突出部２Ｅ、２Ｅを嵌め入れる穴３Ｆを設けた前記他方のスライダ部材３の側には前記段部２Ｇと同様の段部を形成して嵌合構造としても良い。すなわち、一方のスライダ部材の段部２Ｇと他方のスライダ部材３の突出部３Ｇとを逆の嵌合構造としても良い。【００２９】
図５（Ｃ）に示すように、前記突出部２Ｅ、２Ｅを設けた一方のスライダ部材２の内壁面２Ｈ、２Ｈはテーパ状として横から包装用袋体Ｗの口部Ｅに嵌め入れ易くしてある。また、図７（Ｂ）に示すように、他方のスライダ部材３の穴３Ｆの内側側面の出口には段部３Ｈ、３Ｈが形成され、一方のスライダ部材２の突出部２Ｅ、２Ｅにはこれらの段部３Ｈ、３Ｈに係止するよう凸部２Ｉ、２Ｉが形成されている。この嵌合により一方のスライダ部材２と他方のスライダ部材３とを一体嵌合させたときこれらが外れにくくなり、安定的な嵌合状態とすることができる。【００３０】
なお、密封構造のファスナー付包装用袋体には、図１１に示すように、破った位置からファスナーまでの距離が長いものもある。このような場合には、スライダ部材２および３の上部を長くしたものを用意する。すなわち、図１２（Ａ）に示すように、一方のスライダ部材２の内壁面２Ｈと内壁面２Ｈとの間の空間２ｋを上方向に長くし、一方のスライダ部材２の突起部２Ａおよび２Ｊを長く形成し、図１２（Ｂ）に示すように、他方のスライダ部材３の狭窄部３Ｃの上部は、空間３Ｉを上方向に長く形成すれば良い。このようなスライダ１を取り付けた状態の包装用袋体Ｗが図１１に示す袋体である。【００３１】
図１３は、ファスナーのある密封された包装用袋Ｗの端部を破り、破った該包装用袋体ＷのファスナーＦに、本発明のファスナー用スライダ１を取り付ける途中の斜視図であり、一方のスライド部材２と他方のスライド部材３とを分離して取り付けた状態の斜視図であり、図１４は、本発明のファスナー用スライダ１を包装用袋体Ｗに取り付け組み立てた状態の斜視図である
先ず包装用袋体Ｗの閉鎖状態の口部Ｅから一方スライダ部材２の突起２Ａおよび２Ｊを、破った包装用袋ＷのファスナーＦの雄嵌合部材Ｆ１の凸条部３Ｆと雌嵌合部材Ｆ２の嵌合溝Ｆ４とを分離するように上から入れる。次に、他方のスライダ部材３の狭窄部３Ｃで包装用袋体Ｗの口部ＥのファスナーＦに反対側の横から嵌め入れ、一方のスライダ部材２の二本の突出部２Ｅ、２Ｅを他方のスライダ部材３の穴３Ｆに嵌め入れる。また、同時に一方のスライダ部材２に設けた段部２Ｇ、２Ｇに他方のスライダ部材３に設けた突出部３Ｇ、３Ｇを嵌め込む。そしてファスナーＦを図９示すように、溝部３Ｅに嵌め入れる。こうすると図１４に示すように、一方のスライダ部材２と他方のスライダ部材３とがしっかり嵌合した状態で一体となる。そして、スライダ１を左右に移動させると袋体Ｗの口部Ｅに設けたファスナーＦを開閉することができる。【００３２】
図１５（Ａ）は、包装用袋体Ｗの口部Ｅに嵌め入れたスライダ１がファスナーＦの端部まで来た状態を示す図であり、図１５（Ｂ）は、図１５（Ａ）のＧ−Ｇ矢視断面図である。ファスナー用スライダ１がファスナーＦの端部へ来たとき、他方のスライダ部材は包装用袋体の端部から外れるが、一方のスライダ部材２の突起部２Ａより低い幅広の突起２Ｊが設けてあるので該突起２Ｊが包装用袋体Ｗの口部Ｅの端に当たりそこで停止する。また、ファスナー用スライダ１が包装用袋体Ｗの他方の端部へ来ても、突起部２Ａが包装用袋体Ｗの端部へ当接するのでやはり該ファスナー用スライダ１は外れない。従ってこのファスナー用スライダ１が包装用袋体Ｗの口部Ｅから外れにくくなり安定させることができる。なお、一方のスライダ部材２と他方のスライダ部材３とが組み立てられているときには、図１５（Ｂ）に示すように、突出部２Ｅの突起２Ｉが、他方のスライダ部材３の穴３Ｆの端部の凹部３Ｈに係止され安定した組立状態となる。【００３３】
一方、包装用袋体Ｗの口部Ｅに嵌め入れたファスナー用スライダ１を取り外すときには、図１に示す、他方のスライダ部材３の穴３Ｆから少し出た一方のスライダ部材の二本の突出部２Ｅ、２Ｅを押すと、これらは弾性変形して少し穴３Ｆより小さくなるので分離され、外しやすくなる。こうして、他の包装用袋体に取り付ける場合は、一方のスライダ部材２と他方のスライダ部材３とを分解して包装用袋体Ｗから外ずし（一方のスライダ部材２は上へ、他方のスライダ部材３は横へ）、他の包装用袋体Ｗの口部Ｅに嵌めることができる。【００３４】
次に、図面を参照して本願発明の第２の具体的な実施の形態を詳述する。
図１６（Ａ）は、本願発明のファスナー用スライダ１の第２の実施例の組立状態の全体斜視図であり、図１６（Ｂ）は、一方のスライダ部材２を他方のスライダ部材から少し引き出した半嵌合状態の斜視図であり、図１６（Ｃ）は、分離した状態の斜視図である。図１７は、本発明の第２の実施例の全体斜視図であって、図１６とは別の角度から見た全体斜視図であり、図１７（Ａ）は組立状態の全体斜視図であり、図１７（Ｂ）は一方のスライダ部材２を他方のスライダ部材から少し引き出した半嵌合状態の斜視図であり、図１７（Ｃ）は、分離した状態の斜視図である。図１８は本発明の第２の実施例のファスナー用スライダを上下逆にした状態の斜視図であり、図１８（Ａ）は組立状態の全体斜視図であり、図１８（Ｂ）は一方のスライダ部材２２を他方のスライダ部材２３から少し引き出した半嵌合状態の斜視図であり、図１８（Ｃ）は、分離した状態の斜視図である。【００３５】
本発明の第２の実施例でも、一方のスライダ部材２２の突起部２２Ａは、内側の底部２２Ｂから立設させて形成される。すなわち、本発明のファスナー用スライダ２１は、ファスナーの係合状態の雄係合部材Ｆ１と雌係合部材Ｆ２とを分離する突起部２２Ａおよびこれより低い突起部２２Ｊを有すると共に、二本の突出部２２Ｅ、２２Ｅとを形成した一方のスライダ部材２２と、前記雄係合部材Ｆ１と雌係合部材Ｆ２とを係合する狭窄部２３Ｃを形成した他方のスライダ部材２３とより構成される。そして前記一方のスライダ部材２２に形成される突起部２２Ａは、底部２２Ｂに立設させ、二本の突出部２２Ｅ、２２Ｅは、前記他方のスライダ部材２３方向に且つ、該他方のスライダ部材２３との嵌合面２２Ｃに立設される。また、前記他方のスライダ部材２３には、前記二本の突出部２２Ｅ、２２Ｅを嵌め入れる穴２３Ｆが貫通するように設けてある。この場合、前記一方のスライダ部材２２と他方のスライダ部材２３とを一体嵌合したとき、前記一方の係合部材２２に設けた二本の突出部２２Ｅ、２２Ｅは、前記他方の係合部材３の穴２３Ｆから少し突出するような嵌合構造としてある。【００３６】
前記他方のスライダ部材２３に形成した狭窄部２３Ｃの両側壁部２３Ｄ、２３Ｄには、ファスナーＦが無理なく嵌まるように、溝部２３Ｅ、２３Ｅが設けてある。この両側の溝部２３Ｅ、３Ｅにより、包装用袋体ＷのファスナーＦは、雄係合部材Ｆ１と雌係合部材Ｆ２とにより形成される凸状の膨らみが嵌合され、スライダ２１をフエスナーＦに安定的に取り付けることができる（図９と同様）。【００３７】
前記一方のスライダ部材２２の突起部２２Ａの先端部は少し丸みができるような先端部２２Ｐを形成するとファスナーＦの嵌合部に入り込みやすい。そして該突起部２２Ａの先端部２２Ｐの近傍にはくびれ２２Ｑを設ける。この先端部２２Ｐ近傍のくびれ２２Ｑには、突起部２２Ａをファスナの雄係合部材Ｆ１と雌係合部材Ｆ２に割り込ませたとき、分離されたファスナーの凸条部Ｆ３と係合溝Ｆ４とが嵌まり、該凸条部Ｆ３に嵌め入れる嵌合溝Ｆ４とを安定的に分離することができる（図１０と同様）。前記一方のスライダ部材２２の突起部２２Ａには連続して少し低く且つスライド方向に突起部２Ｊが形成される。【００３８】
また、前記他方のスライダ部材２３に設ける穴２３Ｆは、前記一方のスライダ部材２２と該他方のスライダ部材２３とを一体としたとき前記二本の突出部２２Ｅ、２２Ｅが丁度嵌まる位置に設けてある。この場合、これら二本の突出部２２Ｅ、２２Ｅが前記他方の係合部材２３の穴２３Ｆから少し突出するようにしてあるが、これは、図２３（Ａ）に示す嵌合状態のとき、これら二本の突出部２２Ｅ、２２Ｅを両側から指で押すことができるようにするためである。こうして二本の突出部２２Ｅ、２２Ｅは、指で押すと、弾性変形してこれら二本の突出部２２Ｅ、２２Ｅの間隔が狭まり、穴２３Ｆから外しやすくなる（前記段落［００２６］と同様）。【００３９】
次に、図１９（Ａ）は、本発明の第２の実施例の正面図であり、図１９（Ｂ）は平面図であり、図１９（Ｃ）は低面図であり、図１９（Ｄ）は左側面図であり、図１９（Ｅ）は右側面図である。また、図２０（Ａ）は図１９（Ａ）のＡ−Ａ矢視断面図であり、図２０（Ｂ）は図１９（Ａ）のＣ−Ｃ矢視断面図である。また、図２１（Ａ）は、図１９（Ｂ）のＢ−Ｂ矢視断面図であって、一方のスライド部材２２を他方のスライド部材２３から抜いて、途中で二本の突出部２２Ｅ、２２Ｅの突起２２Ｉ、２２Ｉが、他方のスライダ部材２３の穴２３Ｆの突起２３Ｌに係止した状態を示す図である。図２１（Ｂ）は、図２１（Ａ）のＡ−Ａ矢視断面図で同様の状態を示す図である。
これらの図に示すように、本発明の第２の実施例によれば、一方のスライド部材２２を他方のスライド部材２３の穴２３Ｆから抜こうとしても、一度二本の突出部２２Ｅ、２２Ｅが他方のスライド部材２３の穴２３Ｆの突起２３Ｌ、２３Ｌに係止するため、そこで停止し一度で抜くことはできない。なお、この状態から一方向のスライダ部材２２から他方のスライダ部材２３を抜くには、内側の突出部２２Ｅ、２２Ｅを押して弾性変形させれば良い。【００４０】
図２２は、本発明のファスナー用スライダ２１を包装用袋体ＷのファスナーＦに取り付ける状態の全体斜視図である。次に、包装用袋体Ｗにファスナー用スライダ２１を取り付ける場合には、一方のスライダ部材２２を他方のスライダ部材２３から抜いて、ファスナー用スライダ２１を半分係合した状態とし、包装用袋体ＷのファスナーＦの端部で、該ファスナーＦの上から一方のスライダ部材２２を入れ、端部横から他方のスライダ部材２３を入れる。そして一方のスライダ部材２２は、突出部２２Ｅ、２２Ｅを他方のスライダ部材２３の穴２３Ｆに完全に押し込んで嵌め入れる。【００４１】
図２３は、本発明の第２の実施例のファスナー用スライダ２１の斜視図であって、他方のスライダ部材２３にストラップを取付具２４を設けた状態の斜視図である。本発明のファスナー用スライダ（１、２１）は、包装用袋体が痛んで使用不可となった場合は、このファスナー用スライダ（１、２１）は簡単に取り外すことが可能であるから、取り外して他の包装用袋体に使用することができる。また、本発明のファスナー用スライダ（１、２１）には、ストラップを取り付けると、紛失しにくくなるので便利である。【００４２】
図２４は、本発明の第２の実施例のファスナー用スライダ２１をファッションバングのような包装用袋体のファスナーＦに取り付けた状態の斜視図である。本発明のスライダ（１、２１）をファッションバッグのファスナーＦに取り付けると体裁が良く（カッコ良く）且つ抵抗無くそのまま持ち歩くことができる。特に、ストラップを取り付けることができるのでマスコッコの動物や物を形取ったものを使用すればファッションバッグの売れ行きも良くなる。
【符号の説明】
【００４３】
１    スライダ
２    一方のスライダ部材
２Ａ  一方のスライダ部材の突起部
２Ｂ  一方のスライダ部材の底部
２Ｃ  一方のスライダ部材の嵌合方向の壁
２Ｅ  一方のスライダ部材の突出部
２Ｉ  一方のスライダ部材の突出部の突起
２Ｊ  一方のスライダ部材の突起部に続くスライド方向の突起部
＋−Ｐ  膨出部
２Ｑ  突起部のくびれ
３    他方のスライダ部材
３Ｃ  他方のスライダ部材の狭窄部
３Ｅ  凹溝
３Ｆ  他方のスライダ部材の穴
３Ｌ  他方のスライダ部材の穴の中の突起
【図１】
2010134222.tif 000003
【図２】
2010134222.tif 000004
【図３】
2010134222.tif 000005
【図４】
2010134222.tif 000006
【図５】
2010134222.tif 000007
【図６】
2010134222.tif 000008
【図７】
2010134222.tif 000009
【図８】
2010134222.tif 000010
【図９】
2010134222.tif 000011
【図１０】
2010134222.tif 000012
【図１１】
2010134222.tif 000013
【図１２】
2010134222.tif 000014
【図１３】
2010134222.tif 000015
【図１４】
2010134222.tif 000016
【図１５】
2010134222.tif 000017
【図１６】
2010134222.tif 000018
【図１７】
2010134222.tif 000019
【図１８】
2010134222.tif 000020
【図１９】
2010134222.tif 000021
【図２０】
2010134222.tif 000022
【図２１】
2010134222.tif 000023
【図２２】
2010134222.tif 000024
【図２３】
2010134222.tif 000025
【図２４】
2010134222.tif 000026
【図２５】
2010134222.tif 000027
【図２６】
2010134222.tif 000028
【図２７】
2010134222.tif 000029
【図２８】
2010134222.tif 000030
【図２９】
2010134222.tif 000031
【図３０】
2010134222.tif 000032
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ）を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材には、前記包装用袋体のファスナー（Ｆ）の外側から該ファスナー（Ｆ）で係合状態の雄係合部材と雌係合部材との間に割り込ませる突起部と、他方のスライダ部材方向に伸びる二本の突出部とを形成するとともに、
前記他方のスライダ部材には、分離状態の雄係合部材と雌係合部材とを嵌合挟持させる狭窄部と、前記二本の突出部を嵌め入れる穴を設け、前記一方のスライダ部材と他方のスライダ部材とを一体嵌合させたとき、前記一方のスライダ部材に設けた二本の突出部が前記他方のスライダ部材の穴（３Ｆ）から突出する嵌合構造としたことを特徴とするファスナー用スライダ。
【請求項２】
包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材（２）には、前記包装用袋体のファスナー（Ｆ）の外側から該ファスナー（Ｆ）で係合状態の雄係合部材と雌係合部材との間に割り込ませる突起部と、他方のスライダ部材方向に伸び且つ先端に突起を設けたる二本の突出部とを形成するとともに、
前記他方のスライダ部材には、分離状態の雄係合部材と雌係合部材とを嵌合挟持させる狭窄部と、前記二本の突出部を嵌め入れる穴であって出口端部に前記二本の突出部の先端の突起を嵌める凹部を形成した穴を設け、前記一方のスライダ部材と他方のスライダ部材とを一体嵌合させたとき、前記一方のスライダ部材に設けた二本の突出部が前記他方のスライダ部材の穴から突出する嵌合構造としたことを特徴とするフエスナー用スライダ。
【請求項３】
包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部を形成した一方のスライダ部材と、前記雄係合部材と前記雌係合部材とを係合する狭窄部を形成した他方のスライダ部材とより成り、これら一方のスライダ部材と他方のスライダ部材とを嵌合してなるファスナー用スライダにおいて、
前記一方のスライダ部材には、前記包装用袋体のファスナー（Ｆ）の更に外側から該ファスナー（Ｆ）で係合状態の雄係合部材と雌係合部材との間に割り込ませる突起部と、他方のスライダ部材方向に伸び且つ先端に突起を設けた二本の突出部とを設けるとともに、
前記他方のスライダ部材には、分離状態の雄係合部材と雌係合部材とを嵌合挟持させる狭窄部と、前記二本の突出部を嵌め入れる穴であって、出口端部に前記二本の突出部の先端の突起２Ｉを嵌める凹部を形成すると共に該穴の一方のスライダ部材側には、前記一方のスライダ部材に設けた二本の突出部先端の突起と係止する突起を形成したことを特徴とするフエスナー用スライダ。
【請求項４】
前記他方のスライダ部材の狭窄部の両側の内壁には、包装用袋体に設けたファスナー部の膨らみを嵌め入れる凹部を形成したことを特徴とする請求項１乃至請求項３のいずれかに記載のファスナー用スライダ。
【請求項５】
前記包装用袋体のファスナー（Ｆ）の開口部より外側端部に密封部を形成し、該密封部を破断してファスナー用スライダを嵌め込むようにしたことを特徴とする請求項１乃至請求項４のいずれかに記載のファスナー用スライダ。
【請求項６】
前記一方のスライダ部材の突起部が、スライド方向に該突起部より低い突起部を形成してあることを特徴とする請求項１乃至請求項５のいずれかに記載のファスナー用スライダ。
【請求項７】
前記一方のスライダ部材の突起部の先端近傍には、くびれを設けることを特徴とする請求項１乃至請求項６のいずれかに記載のファスナー用スライダ。
【手続補正２】
【補正対象書類名】明細書
【補正対象項目名】全文
【補正方法】変更
【補正の内容】
【発明の詳細な説明】
【技術分野】
【０００１】
本発明は、既存のファスナー付包装用袋体、特にファスナーより外側の上端部が密封状態とされたファスナー付包装用袋体でも使用可能で、該ファスナー近傍を破ってからファスナー部分に取り付けることが可能であり、分割型スライダとして形成し、これらを嵌合させて一つのスライダとして組み立て、ファスナーを開閉自在とすることのできるファスナー用スライダに関する。
【背景技術】
【０００２】
従来より、合成樹脂フィルム製の包装用袋体には、ファスナー（チャックともいう）付の包装用袋体が使用されることが多い。かかる包装用袋体のファスナーは、塵埃や水分の侵入を防止したり包装用袋体に入れた物品が遺失したりするのを防止するための手段として設けられている。従来のファスナー付の包装用袋体の殆どはこのファスナーを手で開閉するか、或いはファスナーを開閉するためのスライダが取り付けられている。即ち、スライダを用いる場合、図３０に示すように、包装用袋体Ｗの口部ＥにはファスナーＦが設けられ、開閉用のスライダ１０が取り付けられる。このファスナーＦに取り付けられたスライダ１０は、矢印方向にスライドさせるとファスナーＦが開口され、矢印Ｓ方向にスライドさせるとファスナーＦは閉鎖される。
【０００３】
通常、前記ファスナーＦは、図２８（Ａ）に示すように、一方の内側面Ｗ1 に凸条部Ｆ３を設けた雄係合部材Ｆ１と、他方の内側面Ｗ2 に前記凸条部Ｆ３を係脱自在に嵌め入れる凹状の係合溝Ｆ４を設けた雌係合部材Ｆ２と、がそれぞれ袋体の口部Ｅの内側に接着して設けられる。そして当初は包装用袋体ＷのファスナーＦが閉じているときは、雄係合部材Ｆ１の凸条部Ｆ３と、雌係合部材Ｆ２の係合溝Ｆ４とは嵌合状態であるが、包装用袋体Ｗの口部Ｅを開けるときには図２８（Ｂ）に示すように、スライダ１０の突起部１０Ａを、ファスナーＦの凸条部Ｆ３と係合溝Ｆ４との間に割り込むように挿入し、該スライダ１０をスライド（移動）させると、口部Ｅは開口状態となる。次に、包装用袋体Ｗの口部Ｅを閉じるときには図２８（Ｃ）に示すように、スライダ１０の狭窄部１０Ｃを、雄係合部材Ｆ１と雌係合部材Ｆ２の間の外側に位置させて該スライダ１０をスライド（移動）させる。すると、狭窄部１０ｃが包装用袋体Ｗの口部Ｅを両側から圧迫して口部Ｅは閉鎖状態となる。
【０００４】
図２９（Ａ）は、前記従来のスライダ１０の斜視図であり、図２９（Ｂ）は、その半割にした状態の斜視図である。これらの図では、内容が判りやすいように実際の使用状態とは上下逆向き（突起部１０Ａと狭窄部１０Ｃが上方に向いている）としてある。これらの図に示すように、従来のスライダ１０は、中央部分を広くした中心線方向片側寄りの内側空間１０Ｅに立設させた突起部１０Ａと、底部１０Ｂの両側に立設させた両側壁１０Ｄ、１０Ｄと、他方の片側寄りに空間の狭い狭窄部１０Ｃを形成した壁部１０Ｆ、１０Ｆと、で構成されている。該スライダ１０は、包装用袋体Ｗの口部Ｅに設けたファスナーＦに、後から係止させることも可能である。このような構成により、上記するように、スライダ１０を取り付ける場合、スライダ１０の突起部１０Ａを上から割り込ませると共に狭窄部１０Ｃで包装用袋体Ｗの口部Ｅの外側の両側かから挟み込ませるように取り付ける。こうして前記スライダ１０を矢印Ｒ方向（図３０）へスライドさせるとスライダ１０はファスナーＦの口部Ｅを開口し、矢印Ｓ方向へスライドさせるとファスナーＦの口部Ｅを閉鎖することが出来る。
【０００５】
図３０に示すようなスライダが最も便利であるが、製作用の金型は少し複雑化せざるを得ない。そこで本出願人は、図２６及び図２７に示すような嵌合式のファスナー用スライダを提案した。即ち、ファスナー用のスライダが、袋体の口部に設けられ一方の内側面に凸条部Ｆ３を設けた雄係合部材と他方の内側面に前記凸条部Ｆ３を係脱自在に嵌め入れる嵌合溝を設けた雌係合部材Ｆ２とより成るファスナーＦのこれら雄係合部材Ｆ１と雌係合部材Ｆ２とを分離する突起部３２Ａを形成した一方のスライダ部材３２と、これら雄係合部材Ｆ１と雌係合部材Ｆ２とを嵌合する狭窄部３３Ｃを形成した他方のスライダ部材３３と、より成るスライダ３１であって、分割して形成された前記一方のスライダ部材３２と他方のスライダ部材３３とが一体となる嵌合構造としたことを特徴としたファスナー用スライダである（特許文献１）。
そして、前記突起部３２Ａを設けた一方のスライダ部材３２の両側には側壁３２Ｃを形成し、他方のスライダ部材３３の狭窄部３３Ｃの両側に柱部３２Ａを形成すると共に該柱部３２Ａの両外側に凹部３３Ｅを形成し、前記側壁３２Ｃを前記凹部３３Ｅに嵌合させる嵌合構造とすることを特徴としている（特許文献１）。
【０００６】
【特許文献１】特願２００８−１４８２３１
【発明の開示】
【発明が解決しようとする課題】
【０００７】
図３０に示すスライダ１０は、包装用袋体Ｗの口部に設けたファスナーＦを密閉することができる。しかし、包装用袋体には、図２５に示すように、ファスナーＦを設け且つその外側の端部を密閉したものもある。このようなファスナーＦを設けた包装用袋体Ｗは、開封した後、外部から塵埃や水分が入ったり、包装用袋体Ｗ内部に収容した物がこぼれたりしないよう密封して置くためである。しかし、かかる密封用ファスナーを設けた包装用袋体Ｗは、スライダ１０を使用することはできず、ファスナーＦの近傍を手で破ったり、鋏で切ったりして開封した後、密封するためにはファスナーＦ部分を手で押して密封したり、破った口から手（指）を入れて開封するしかなかった。また、図２６に示すような分割型のスライダ３１は、一旦組み立ててファスナーＦに取り付けた後は分解しにくく取り外して再使用するのが煩雑であった。また、一方のスライダ部材３２は包装用袋体ＷのファスナーＦの端部に来ると、そのまま外側へ出てしまい、外れやすいという問題がある。また、一方のスライダ部材３２と、他方のスライダ部材３３を外した場合、分割型であるため一方を紛失しやすいという問題がある。
【０００８】
本発明は、上記課題に対処するためになされたものであり、ファスナーの装着されている密封された包装用袋体Ｗを破って開封した後に、後からファスナーに取り付け可能で、構造が比較的簡単でファスナーの端部からも取り付け可能であり、且つ一旦袋体のファスナーに取り付けても取り外し易いファスナー用スライダを提供することを目的としている。さらに、ファスナーから外して他の袋体のファスナーにも簡単に取り付けや取り外しがしやすく、また、包装用袋体Ｗの端部に来てもそこでスライダ部材が停止し、包装用袋体ＷのファスナーＦから外れず、且つ一方のスライダ部材と他方のスライダ部材を外しても完全に分離されずいずれのスライダ部材も紛失されないファスナー用スライダを提供することを目的としている。
【課題を解決するための手段】
【０００９】
上記の目的を達成するため、本発明の請求項１に記載の発明は、包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ）を形成した一方のスライダ部材（２、２２）と、前記雄係合部材と前記雌係合部材とを係合する狭窄部（３Ｃ、２３Ｃ）を形成した他方のスライダ部材（３）とより成り、これら一方のスライダ部材（２、２２）と他方のスライダ部材（３、２３）とを嵌合してなるファスナー用スライダにおいて、
前記一方のスライダ部材（２、２２）には、前記包装用袋体のファスナー（Ｆ）の外側から該ファスナー（Ｆ）で係合状態の雄係合部材と雌係合部材との間に割り込ませる突起部（２Ａ、２２Ａ）と、他方のスライダ部材（３、２３）方向に伸びる二本の突出部（２Ｅ、２２Ｅ）とを形成するとともに、
前記他方のスライダ部材（３、２３）には、分離状態の雄係合部材と雌係合部材とを嵌合挟持させる狭窄部（３Ｃ、２３Ｃ）と、前記二本の突出部（２Ｅ、２２Ｅ）を嵌め入れる穴（３Ｆ、２３Ｆ）を設け、前記一方のスライダ部材（２、２２）と他方のスライダ部材（３、２３）とを一体嵌合させたとき、前記一方のスライダ部材（２、２２）に設けた二本の突出部（２Ｅ、２２Ｅ）が前記他方のスライダ部材（３、２３）の穴（３Ｆ、２３Ｆ）から突出する嵌合構造としたことを特徴としている。
【００１０】
さらに、請求項２に記載の発明は、包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ、２２Ａ）を形成した一方のスライダ部材（２、２２）と、前記雄係合部材と前記雌係合部材とを係合する狭窄部（３Ｃ、２３Ｃ）を形成した他方のスライダ部（３）とより成り、これら一方のスライダ部材（２、２２）と他方のスライダ部材（３、２３）とを嵌合してなるファスナー用スライダにおいて、
前記一方のスライダ部材（２、２２）には、前記包装用袋体のファスナー（Ｆ）の外側から該ファスナー（Ｆ）で係合状態の雄係合部材と雌係合部材との間に割り込ませる突起部（２Ａ、２２Ａ）と、他方のスライダ部材（３、２３）方向に伸び且つ先端に突起（２Ｉ、２２Ｉ）を設けたる二本の突出部（２Ｅ、２２Ｅ）とを形成するとともに、
前記他方のスライダ部材（３、２３）には、分離状態の雄係合部材と雌係合部材とを嵌合挟持させる狭窄部（３Ｃ、２３Ｃ）と、前記二本の突出部（２Ｅ、２２Ｅ）を嵌め入れる穴（３Ｆ、２３Ｆ）であって出口端部に前記二本の突出部（２Ｅ、２２Ｅ）の先端の突起２Ｉを嵌める凹部３Ｈを形成した穴（３Ｆ、２３Ｆ）を設け、前記一方のスライダ部材（２、２２）と他方のスライダ部材（３、２３）とを一体嵌合させたとき、前記一方のスライダ部材（２、２２）に設けた二本の突出部（２Ｅ、２２Ｅ）が前記他方のスライダ部材（３、２３）の穴（３Ｆ、２３Ｆ）から突出する嵌合構造としたことを特徴としている。
【００１１】
さらに、請求項３に記載の発明は、包装用袋体の一方の端部内側に凸条部を設けた雄係合部材と、対向する他方の端部内側面に前記凸条部を係脱自在に嵌め入れる嵌合溝を設けた雌係合部材と、より成るファスナー（Ｆ）を設けて開口部とすると共に前記包装用袋体の係合状態の雄係合部材と雌係合部材とを分離する突起部（２Ａ、２２Ａ）を形成した一方のスライダ部材（２２）と、前記雄係合部材と前記雌係合部材とを係合する狭窄部（２３Ｃ）を形成した他方のスライダ部材（２３）とより成り、これら一方のスライダ部材（２２）と他方のスライダ部材（２３）とを嵌合してなるファスナー用スライダにおいて、
前記一方のスライダ部材（２２）には、前記包装用袋体のファスナー（Ｆ）の更に外側から該ファスナー（Ｆ）で係合状態の雄係合部材と雌係合部材との間に割り込ませる突起部（２２Ａ）と、他方のスライダ部材（２３）方向に伸び且つ先端に突起２Ｉを設けた二本の突出部（２２Ｅ）とを設けるとともに、
前記他方のスライダ部材（２３）には、分離状態の雄係合部材と雌係合部材とを嵌合挟持させる狭窄部（２３Ｃ）と、前記二本の突出部（２２Ｅ）を嵌め入れる穴（２３Ｆ）であって、出口端部に前記二本の突出部（２２Ｅ）の先端の突起（２２Ｉ）を嵌める凹部３Ｈを形成すると共に該穴（２３Ｆ）の一方のスライダ部材側には、前記一方のスライダ部材（２２）に設けた二本の突出部（２２Ｅ）先端の突起（２２Ｉ）と係止する突起（２３Ｌ）を形成したことを特徴としている。
【００１２】
また、請求項４に記載の発明は、前記他方のスライダ部材（３、２３）の狭窄部（３Ｃ、２３Ｃ）の両側の内壁（３Ｄ、２３Ｄ）には、包装用袋体に設けたファスナー部の膨らみを嵌め入れる凹部（３Ｅ、２３Ｅ）を形成したことを特徴としている。
【００１３】
請求項５に記載の発明は、包装用袋体のファスナー（Ｆ）の開口部より外側端部に密封部を形成し、該密封部を破断してファスナー用スライダを嵌め込むようにしたことを特徴としている。
【００１４】
また、請求項６に記載の発明は、前記突起部（２Ａ、２３Ａ）が、スライド方向に該突起部（２Ａ、２２Ａ）より低い突起部（２Ｊ、２２Ｊ）を形成してあることを特徴としている。
【００１５】
また、請求項７に記載の発明は、前記一方のスライダ部材（２、２２）の突起部（２Ａ、２２Ａ）部の先端近傍には、くびれ（２Ｑ、２２Ｑ）を設けることを特徴としている。
【発明の効果】
【００１６】
上記手段とした本発明のファスナー用スライダによれば、密封されたファスナー付包装用袋体をファスナー近傍で手で破ったり、鋏で切った後でも該ファスナーに取り付けることができる。この場合、突起部のある一方のスライダ部材と狭窄部のある他方のスライダ部材とを別々に製作し、容易に嵌合して一体とし、通常のスライダと同様のスライダとすることができる。
このスライダは、閉鎖状態のファスナーの間に突起部のある一方のスライダ部材を容易に割り込ませてファスナーを開くことができる。また、一旦包装用袋体の口部にファスナーを開閉できるように取り付けたこの発明のファスナー用スライダは、二本の突出部を寄せるように押すだけで一方のスライダ部材と他方のスライダ部材に分解して取り外すことができる。
【００１７】
本発明ファスナー用スライダは、一方のスライダ部材と、他方のスライダ部材とは分離しない「半嵌合状態」とすることができる。この結果、いずれかのスライダ部材を紛失する虞が少なくなる。すなわち、図１や図５に示すように、一方のスライダ部材２と他方のスライダ部材３とが嵌合状態のとき通常のスライダとなる。しかし、二本の突出部２Ｅをつまんで該二本の突出部２Ｉ、２Ｉを他方のスライダ３の穴３Ｆから抜き出すと、図２０（Ｂ）に示すように途中で該二本の突出部２２Ｅの突起２２Ｉが前記穴（２３Ｆ）の内壁の一方の前記一方のスライダ部材（２２）寄りに形成した突起３Ｌに係止するため、ここで「半嵌合状態」となる。このため両方のスライダ部材がつながったまま分離されるため落下しない。また、この「半嵌合状態」でファスナーＦに一方のスライダ部材２を嵌め入れやすくなる。
【００１８】
また、上記手段とした本発明のファスナー用スライダによれば、密封されたファスナー付包装用袋体をファスナー近傍を手で破ったり、鋏で切った後でも該ファスナーに取り付けることができる。この場合、突起部のある一方のスライダ部材と狭窄部のある他方のスライダ部材とを別々に製作し、容易に嵌合して一体とし、通常のスライダと同様のスライダとすることができる。
特に、本発明のファスナー用スライダは、密封状態のファスナー付包装用袋体のファスナーの近傍を破ったり、鋏で切った袋体のファスナーに取り付けることが可能であり、しかも取り付け、取り外しが簡単にできるので、殆どのファスナーを取り付けた密封型の包装用袋体に使用することができる。特に、手段７によれば、くびれにファスナーの凸条部が嵌まり、該凸条部に嵌め入れる嵌合溝を安定的に分離することができる。そして、手段４によれば、狭窄部の凹溝に袋体のファスナーの膨らみによる凸部を嵌合させてスライダを安定的に取り付けることができる。
【００１９】
更に、本発明のファスナー用スライダは、別個の二つの部分からなり、一体嵌合させるためファスナー用スライダを成形する金型の構造も簡単であり、安価に製作することができる。また、ファスナーの端部の一方の横から一方のスライダ部材を嵌め込み、別途上から他方のスライダ部材をファスナーの上から入れてファスナー部分を狭窄部で挟持させ、嵌合することができる。
【図面の簡単な説明】
【００２０】
【図１】本発明のファスナー用スライダ１の組立状態の全体斜視図である。
【図２】本発明のファスナー用スライダを構成する一方のスライダ部材と、他方のスライダ部材と、を一体嵌合させて組み立てる前の状態の分解斜視図である。
【図３】図１に示す一体嵌合させ上下逆にした状態の組立斜視図である。
【図４】一方のスライダ部材と、他方のスライダ部材とが組み立てられる前の上下逆にした状態の分解斜視図である。
【図５】図５（Ａ）は、本発明のファスナー用スライダ１の組立状態の平面図であり、図５（Ｂ）は、正面図であり、図５（Ｃ）は、底面図である。
【図６】図６（Ａ）は、本発明のファスナー用スライダ１の一方のスライダ部材２のＰ矢視側面図であり、図６（Ｂ）は、他方のスライダ部材３のＱ矢視側面図である。
【図７】図７（Ａ）は、図５（Ａ）のＡ−Ａ矢視断面図であり、図７Ｂ）は、図５（Ｂ）のＢ−Ｂ矢視断面図である。
【図８】図８（Ａ）は、図５（Ｂ）のＣ−Ｃ矢視矢視断面図であり、図８（Ｂ）は、図５（Ｂ）のＤ−Ｄ矢視断面図である。
【図９】本発明の他方のスライダ部材の狭窄部にファスナーを取り付けて閉じる状態を示す一部拡大図である。
【図１０】本発明の一方のスライダ部材の突起部を閉じたファスナーに割り込ませる状態の一部拡大図である。
【図１１】上に長くしたスライダを包装用袋体のファスナーに取り付けた状態の正面図である。
【図１２】図１２（Ａ）は、一方のスライダ部材の内壁面と内壁面との間の空間を上方向に長くした図５（Ｂ）と同様のＤ−Ｄ断面図であり、図１２（Ｂ）は、他方のスライダ部材の狭窄部の上部の空間を長くした断面図である。
【図１３】図１に示す本発明のファスナー用スライダを密封用袋体のファスナーに取り付ける途中の斜視図である。
【図１４】図１に示す本発明のファスナー用スライダを密封用袋体のファスナーに取り付けた状態の斜視図である。
【図１５】図１５（Ａ）は、包装用袋体Ｗの口部Ｅに嵌め入れたスライダがファスナーの端部まで来た状態を示す図であり、図１５（Ｂ）は、図１５（Ａ）のＧ−Ｇ矢視断面図である。
【図１６】本発明より第２の実施例のファスナー用スライダの斜視図である  図１６（Ａ）は、本願発明のファスナー用スライダ１の第２の実施例の組立状態の全体斜視図であり、図１６（Ｂ）は、一方のスライダ部材２を他方のスライダ部材から少し引き出した半嵌合状態の斜視図であり、図１６（Ｃ）は、分離した状態の斜視図である。
【図１７】本発明の第２の実施例の他の方向から見た斜視図である。図１７（Ａ）は組立状態の全体斜視図であり、図１７（Ｂ）は一方のスライダ部材２を他方のスライダ部材から少し引き出した半嵌合状態の斜視図であり、図１７（Ｃ）は、分離した状態の斜視図である。
【図１８】本発明の第２の実施例のファスナー用スライダであって、上下を逆にして見た全体斜視図である。図１８（Ａ）は組立状態の全体斜視図であり、図１８（Ｂ）は一方のスライダ部材２２他方のスライダ部材から少し引き出した半嵌合状態の斜視図であり、図１８（Ｃ）は、分離した状態の斜視図である。
【図１９】図１９（Ａ）は、本発明の第２の実施例の正面図であり、図１９（Ｂ）は平面図であり、図１９（Ｃ）は低面図であり、図１９（Ｄ）は左側面図であり、図１９（Ｅ）は右側面図である。
【図２０】図２０（Ａ）は図１９（Ａ）のＡ−Ａ矢視断面図であり、図２０（Ｂ）は図１９（Ａ）のＣ−Ｃ矢視断面図である。
【図２１】図２１（Ａ）は、図１９（Ｂ）のＢ−Ｂ矢視断面図であって、一方のスライダ部材を他方のスライダ部材から抜いて、途中で二本の突出部の突起が、他方のスライダ部材の穴の突起に係止した状態を示す図、図２１（Ｂ）は、図２１（Ａ）のＡ−Ａ矢視断面図で同様の状態を示す図である。
【図２２】本発明のファスナー用スライダを包装用袋体Ｗのファスナーに取り付ける状態の全体斜視図である。
【図２３】本発明の第２の実施例のファスナー用スライダの斜視図であって、他方のスライダ部材にストラップの取付具を設けた状態の斜視図である。
【図２４】本発明の第２の実施例のファスナー用スライダをファッションバッグのような包装用袋体のファスナーに取り付けて、該ファスナ用スライダの取付具にストラップを取り付けた状態の斜視図である。
【図２５】従来から使用されている密封部付き包装用袋体の全体斜視図である。
【図２６】従来のファスナー付包装用袋体に使用する従来の分割型のファスナー用スライダの斜視図である。
【図２７】従来のファスナー付包装用袋体に使用する従来の分割型のファスナー用スライダであって分解した状態の斜視図である。
【図２８】通常の包装用袋体に設けるファスナーの構造を示す図であり、図２８（Ｂ）は、閉じてあるファスナーにスライダの凸起部をファスナーを割り込ませてファスナーを開ける状態を示す図であり、図２８（Ｃ）は、開いてあるファスナーをスライダの狭窄部で閉じる状態を示す図である。
【図２９】図２９（Ａ）は、従来の一体型のファスナー用スライダの全体斜視図であり、  図２９（Ｂ）は、その半割した状態の斜視図である。
【図３０】従来の包装用袋体の口部に設けたファスナーに従来のスライダを取り付けた状態の斜視図である。
【発明を実施するための最良の形態】
【００２１】
以下、図面を参照して本願発明の具体的な実施の形態を詳述する。
【００２２】
図１は、本発明のファスナー用スライダ１の組立状態の全体斜視図であり、図２は本発明のファスナー用スライダ１を構成する一方のスライダ部材２と、他方のスライダ部材３と、を一体嵌合させて組み立てる前の状態の分解斜視図である。また、図３は、図１に示す一体嵌合させ上下逆にした状態の組立斜視図であり、図４は、図３の一方のスライダ部材２と、他方のスライダ部材３と、を一体嵌合させて組み立てる前の上下逆にした状態の分解斜視図である。更に、図５（Ａ）は、本発明のファスナー用スライダ１の組立状態の平面図であり、図５（Ｂ）は、正面図であり、図５（Ｃ）は、底面図である。また、図６（Ａ）は、本発明のファスナー用スライダ１の図２に示す一方のスライダ部材２のＰ矢視側面図であり、図６（Ｂ）は、図２に示す他方のスライダ部材３のＱ矢視側面図である。図７（Ａ）は、図５（Ａ）のＡ−Ａ矢視断面図であり、図７Ｂ）は、図５（Ｂ）のＢ−Ｂ矢視断面図である。図８（Ａ）は、図５（Ｂ）のＣ−Ｃ矢視矢視断面図であり、図８（Ｂ）は、図５（Ｂ）のＤ−Ｄ矢視断面図である。
【００２３】
本発明のファスナー用スライダ１は、図１乃至図４に示すように、ファスナーの係合状態の雄係合部材Ｆ１と雌係合部材Ｆ２（いずれも図１９参照）とを分離する突起部２Ａおよびこれより低い突起部２Ｊを有すると共に、二本の突出部２Ｅ、２Ｅとを形成した一方のスライダ部材２と、前記雄係合部材Ｆ１と雌係合部材Ｆ２とを係合する狭窄部３Ｃを形成した他方のスライダ部材３とより構成される。そして前記一方のスライダ部材２に形成される突起部２Ａは、底部２Ｂ（図２および図８（Ｂ）参照）に立設させ、二本の突出部２Ｅ、２Ｅは、前記他方のスライダ部材３方向に且つ、該他方のスライダ部材３との嵌合面２Ｃに立設される。また、前記他方のスライダ部材３には、前記二本の突出部２Ｅ、２Ｅを嵌め入れる穴３Ｆが貫通するように設けてある。そして、前記一方のフタイタ部材２と他方のフタイタ部材３とを一体嵌合したとき、前記一方のスライダ部材２に設けた二本の突出部２Ｅ、２Ｅは、前記他方のスライダ部材３の穴３Ｆから少し突出するような嵌合構造としてある。
【００２４】
前記他方のスライダ部材３には、上記するように、ファスナーＦを外側から挟持させるための狭窄部３Ｃが形成してある。そして、図９に示すように、該狭窄部３Ｃの両側壁部３Ｄ、３Ｄには、ファスナーＦが無理なく嵌まるように、溝部３Ｅ、３Ｅが設けてある。この両側の溝部３Ｅ、３Ｅにより、包装用袋体ＷのファスナーＦは、雄係合部材Ｆ１と雌係合部材Ｆ２とにより形成される凸状の膨らみによる凸部が嵌合し、ファスナー用スライダ１をフエスナーＦに安定的に取り付けることができる。
【００２５】
前記一方のスライダ部材２の突起部２Ａの先端部は少し丸みができるような先端部２Ｐを形成するとファスナーＦの嵌合部に入り込みやすい。そして該突起部２Ａの先端部２Ｐの近傍にはくびれ２Ｑを設ける。この先端部２Ｐ近傍のくびれ２Ｑには、図１０に示すように、突起部２Ａをファスナー３の雄係合部材Ｆ１と雌係合部材Ｆ２に割り込ませたとき、分離されたファスナーの凸条部Ｆ３と係合溝Ｆ４とが嵌まり、該凸条部Ｆ３に嵌め入れる嵌合溝Ｆ４とを安定的に分離することができる。前記スライダ部材２の突起部２Ａには連続して少し低く且つスライド方向に突起部２Ｊが形成される。
【００２６】
また、前記他方のスライダ部材３に設ける穴３Ｆは、前記一方のスライダ部材２と該他方のスライダ部材３とを一体としたとき前記二本の突出部２Ｅ、２Ｅが丁度嵌まる位置に設けてある。この場合、これら二本の突出部２Ｅ、２Ｅが前記他方のスライダ部材の穴３Ｆから少し突出するようにしてあるが、これは、図１に示す状態のとき、これら二本の突出部２Ｅ、２Ｅを両側から指で押すことができるようにするためである。こうして二本の突出部２Ｅ、２Ｅは、指で押すと、弾性変形してこれら二本の突出部２Ｅ、２Ｅの間隔が狭まり、穴３Ｆから外しやすくなる。このように二本の突出部２Ｅ、２Ｅの間の間隔が狭まり、穴３Ｆから外しやすくなると、包装用袋体ＷのファスナーＦからも外れやすくなり、スライダ１を外し交換しやすくなり、便利である。
【００２７】
次に、図３および図４に示すように、前記一方のスライダ部材２の二本の突出部２Ｅ、２Ｅの反対側（下側）の内壁面２Ｈ、２Ｈの上部には段部２Ｇ、２Ｇを形成し、他方のスライダ部材３の前記二本の突出部２Ｅ、２Ｅを嵌め入れる穴３Ｆを設けた他方のスライダ部材３側（下側）には前記段部２Ｇ、２Ｇに嵌合する突出部３Ｇ、３Ｇを形成した嵌合構造とする。このように段部２Ｇと突出部３Ｇとの嵌合により一方のスライダ部材２と他方のスライダ部材３とはしっかりとした嵌合構造となる。
【００２８】
或いは、前記二本の突出部２Ｅ、２Ｅを設けた前記一方のスライダ部材２側には、前記突出部３Ｇと同様の突出部を形成し、前記二本の突出部２Ｅ、２Ｅを嵌め入れる穴３Ｆを設けた前記他方のスライダ部材３の側には前記段部２Ｇと同様の段部を形成して嵌合構造としても良い。すなわち、一方のスライダ部材の段部２Ｇと他方のスライダ部材３の突出部３Ｇとを逆の嵌合構造としても良い。
【００２９】
図５（Ｃ）に示すように、前記突出部２Ｅ、２Ｅを設けた一方のスライダ部材２の内壁面２Ｈ、２Ｈはテーパ状として横から包装用袋体Ｗの口部Ｅに嵌め入れ易くしてある。また、図７（Ｂ）に示すように、他方のスライダ部材３の穴３Ｆの内側側面の出口には段部３Ｈ、３Ｈが形成され、一方のスライダ部材２の突出部２Ｅ、２Ｅにはこれらの段部３Ｈ、３Ｈに係止するよう凸部２Ｉ、２Ｉが形成されている。この嵌合により一方のスライダ部材２と他方のスライダ部材３とを一体嵌合させたときこれらが外れにくくなり、安定的な嵌合状態とすることができる。
【００３０】
なお、密封構造のファスナー付包装用袋体には、図１１に示すように、破った位置からファスナーまでの距離が長いものもある。このような場合には、スライダ部材２および３の上部を長くしたものを用意する。すなわち、図１２（Ａ）に示すように、一方のスライダ部材２の内壁面２Ｈと内壁面２Ｈとの間の空間２ｋを上方向に長くし、一方のスライダ部材２の突起部２Ａおよび２Ｊを長く形成し、図１２（Ｂ）に示すように、他方のスライダ部材３の狭窄部３Ｃの上部は、空間３Ｉを上方向に長く形成すれば良い。このようなスライダ１を取り付けた状態の包装用袋体Ｗが図１１に示す袋体である。
【００３１】
図１３は、ファスナーのある密封された包装用袋Ｗの端部を破り、破った該包装用袋体ＷのファスナーＦに、本発明のファスナー用スライダ１を取り付ける途中の斜視図であり、一方のスライダ部材２と他方のスライダ部材３とを分離して取り付けた状態の斜視図であり、図１４は、本発明のファスナー用スライダ１を包装用袋体Ｗに取り付け組み立てた状態の斜視図である
先ず包装用袋体Ｗの閉鎖状態の口部Ｅから一方スライダ部材２の突起２Ａおよび２Ｊを、破った包装用袋ＷのファスナーＦの雄嵌合部材Ｆ１の凸条部３Ｆと雌嵌合部材Ｆ２の嵌合溝Ｆ４とを分離するように上から入れる。次に、他方のスライダ部材３の狭窄部３Ｃで包装用袋体Ｗの口部ＥのファスナーＦに反対側の横から嵌め入れ、一方のスライダ部材２の二本の突出部２Ｅ、２Ｅを他方のスライダ部材３の穴３Ｆに嵌め入れる。また、同時に一方のスライダ部材２に設けた段部２Ｇ、２Ｇに他方のスライダ部材３に設けた突出部３Ｇ、３Ｇを嵌め込む。そしてファスナーＦを図９示すように、溝部３Ｅに嵌め入れる。こうすると図１４に示すように、一方のスライダ部材２と他方のスライダ部材３とがしっかり嵌合した状態で一体となる。そして、スライダ１を左右に移動させると袋体Ｗの口部Ｅに設けたファスナーＦを開閉することができる。
【００３２】
図１５（Ａ）は、包装用袋体Ｗの口部Ｅに嵌め入れたスライダ１がファスナーＦの端部まで来た状態を示す図であり、図１５（Ｂ）は、図１５（Ａ）のＧ−Ｇ矢視断面図である。ファスナー用スライダ１がファスナーＦの端部へ来たとき、他方のスライダ部材は包装用袋体の端部から外れるが、一方のスライダ部材２の突起部２Ａより低い幅広の突起２Ｊが設けてあるので該突起２Ｊが包装用袋体Ｗの口部Ｅの端に当たりそこで停止する。また、ファスナー用スライダ１が包装用袋体Ｗの他方の端部へ来ても、突起部２Ａが包装用袋体Ｗの端部へ当接するのでやはり該ファスナー用スライダ１は外れない。従ってこのファスナー用スライダ１が包装用袋体Ｗの口部Ｅから外れにくくなり安定させることができる。なお、一方のスライダ部材２と他方のスライダ部材３とが組み立てられているときには、図１５（Ｂ）に示すように、突出部２Ｅの突起２Ｉが、他方のスライダ部材３の穴３Ｆの端部の段部３Ｈに係止され安定した組立状態となる。
【００３３】
一方、包装用袋体Ｗの口部Ｅに嵌め入れたファスナー用スライダ１を取り外すときには、図１に示す、他方のスライダ部材３の穴３Ｆから少し出た一方のスライダ部材の二本の突出部２Ｅ、２Ｅを押すと、これらは弾性変形して少し穴３Ｆより小さくなるので分離され、外しやすくなる。こうして、他の包装用袋体に取り付ける場合は、一方のスライダ部材２と他方のスライダ部材３とを分解して包装用袋体Ｗから外ずし（一方のスライダ部材２は上へ、他方のスライダ部材３は横へ）、他の包装用袋体Ｗの口部Ｅに嵌めることができる。
【００３４】
次に、図面を参照して本願発明の第２の具体的な実施の形態を詳述する。
図１６（Ａ）は、本願発明のファスナー用スライダ１の第２の実施例の組立状態の全体斜視図であり、図１６（Ｂ）は、一方のスライダ部材２を他方のスライダ部材から少し引き出した半嵌合状態の斜視図であり、図１６（Ｃ）は、分離した状態の斜視図である。図１７は、本発明の第２の実施例の全体斜視図であって、図１６とは別の角度から見た全体斜視図であり、図１７（Ａ）は組立状態の全体斜視図であり、図１７（Ｂ）は一方のスライダ部材２を他方のスライダ部材から少し引き出した半嵌合状態の斜視図であり、図１７（Ｃ）は、分離した状態の斜視図である。図１８は本発明の第２の実施例のファスナー用スライダを上下逆にした状態の斜視図であり、図１８（Ａ）は組立状態の全体斜視図であり、図１８（Ｂ）は一方のスライダ部材２２を他方のスライダ部材２３から少し引き出した半嵌合状態の斜視図であり、図１８（Ｃ）は、分離した状態の斜視図である。
【００３５】
本発明の第２の実施例でも、一方のスライダ部材２２の突起部２２Ａは、内側の底部２２Ｂから立設させて形成される。すなわち、本発明のファスナー用スライダ２１は、ファスナーの係合状態の雄係合部材Ｆ１と雌係合部材Ｆ２とを分離する突起部２２Ａおよびこれより低い突起部２２Ｊを有すると共に、二本の突出部２２Ｅ、２２Ｅとを形成した一方のスライダ部材２２と、前記雄係合部材Ｆ１と雌係合部材Ｆ２とを係合する狭窄部２３Ｃを形成した他方のスライダ部材２３とより構成される。そして前記一方のスライダ部材２２に形成される突起部２２Ａは、底部２２Ｂに立設させ、二本の突出部２２Ｅ、２２Ｅは、前記他方のスライダ部材２３方向に且つ、該他方のスライダ部材２３との嵌合面２２Ｃに立設される。また、前記他方のスライダ部材２３には、前記二本の突出部２２Ｅ、２２Ｅを嵌め入れる穴２３Ｆが貫通するように設けてある。この場合、前記一方のスライダ部材２２と他方のスライダ部材２３とを一体嵌合したとき、前記一方のスライダ部材２２に設けた二本の突出部２２Ｅ、２２Ｅは、前記他方のスライダ部材２３の穴２３Ｆから少し突出するような嵌合構造としてある。
【００３６】
前記他方のスライダ部材２３に形成した狭窄部２３Ｃの両側壁部２３Ｄ、２３Ｄには、ファスナーＦが無理なく嵌まるように、溝部２３Ｅ、２３Ｅが設けてある。この両側の溝部２３Ｅ、３Ｅにより、包装用袋体ＷのファスナーＦは、雄係合部材Ｆ１と雌係合部材Ｆ２とにより形成される凸状の膨らみが嵌合され、スライダ２１をフエスナーＦに安定的に取り付けることができる（図９と同様）。
【００３７】
前記一方のスライダ部材２２の突起部２２Ａの先端部は少し丸みができるような先端部２２Ｐを形成するとファスナーＦの嵌合部に入り込みやすい。そして該突起部２２Ａの先端部２２Ｐの近傍にはくびれ２２Ｑを設ける。この先端部２２Ｐ近傍のくびれ２２Ｑには、突起部２２Ａをファスナーの雄係合部材Ｆ１と雌係合部材Ｆ２に割り込ませたとき、分離されたファスナーの凸条部Ｆ３と係合溝Ｆ４とが嵌まり、該凸条部Ｆ３に嵌め入れる嵌合溝Ｆ４とを安定的に分離することができる（図１０と同様）。前記一方のスライダ部材２２の突起部２２Ａには連続して少し低く且つスライド方向に突起部２２Ｊが形成される。
【００３８】
また、前記他方のスライダ部材２３に設ける穴２３Ｆは、前記一方のスライダ部材２２と該他方のスライダ部材２３とを一体としたとき前記二本の突出部２２Ｅ、２２Ｅが丁度嵌まる位置に設けてある。この場合、これら二本の突出部２２Ｅ、２２Ｅが前記他方の係合部材２３の穴２３Ｆから少し突出するようにしてあるが、これは、図１７（Ａ）に示す嵌合状態のとき、これら二本の突出部２２Ｅ、２２Ｅを両側から指で押すことができるようにするためである。こうして二本の突出部２２Ｅ、２２Ｅは、指で押すと、弾性変形してこれら二本の突出部２２Ｅ、２２Ｅの間隔が狭まり、穴２３Ｆから外しやすくなる（前記段落［００２６］と同様）。
【００３９】
次に、図１９（Ａ）は、本発明の第２の実施例の正面図であり、図１９（Ｂ）は平面図であり、図１９（Ｃ）は低面図であり、図１９（Ｄ）は左側面図であり、図１９（Ｅ）は右側面図である。また、図２０（Ａ）は図１９（Ａ）のＡ−Ａ矢視断面図であり、図２０（Ｂ）は図１９（Ａ）のＣ−Ｃ矢視断面図である。また、図２１（Ａ）は、図１９（Ｂ）のＢ−Ｂ矢視断面図であって、一方のスライダ部材２２を他方のスライダ部材２３から抜いて、途中で二本の突出部２２Ｅ、２２Ｅの突起２２Ｉ、２２Ｉが、他方のスライダ部材２３の穴２３Ｆの突起２３Ｌに係止した状態を示す図である。図２１（Ｂ）は、図２１（Ａ）のＡ−Ａ矢視断面図で同様の状態を示す図である。
これらの図に示すように、本発明の第２の実施例によれば、一方のスライダ部材２２を他方のスライダ部材２３の穴２３Ｆから抜こうとしても、一度二本の突出部２２Ｅ、２２Ｅが他方のスライダ部材２３の穴２３Ｆの突起２３Ｌ、２３Ｌに係止するため、そこで停止し一度で抜くことはできない。なお、この状態から一方向のスライダ部材２２から他方のスライダ部材２３を抜くには、内側の突出部２２Ｅ、２２Ｅを押して弾性変形させれば良い。
【００４０】
図２２は、本発明のファスナー用スライダ２１を包装用袋体ＷのファスナーＦに取り付ける状態の全体斜視図である。次に、包装用袋体Ｗにファスナー用スライダ２１を取り付ける場合には、一方のスライダ部材２２を他方のスライダ部材２３から抜いて、ファスナー用スライダ２１を半分係合した状態とし、包装用袋体ＷのファスナーＦの端部で、該ファスナーＦの上から一方のスライダ部材２２を入れ、端部横から他方のスライダ部材２３を入れる。そして一方のスライダ部材２２は、突出部２２Ｅ、２２Ｅを他方のスライダ部材２３の穴２３Ｆに完全に押し込んで嵌め入れる。
【００４１】
図２３は、本発明の第２の実施例のファスナー用スライダ２１の斜視図であって、他方のスライダ部材２３にストラップの取付具４を設けた状態の斜視図である。本発明のファスナー用スライダ（１、２１）は、包装用袋体が痛んで使用不可となった場合は、このファスナー用スライダ（１、２１）は簡単に取り外すことが可能であるから、取り外して他の包装用袋体に使用することができる。また、本発明のファスナー用スライダ（１、２１）には、取付具４にストラップを取り付けると、紛失しにくくなるので便利である。
【００４２】
図２４は、本発明の第２の実施例のファスナー用スライダ２１をファッションバングのような包装用袋体のファスナーＦに取り付けた状態の斜視図である。本発明のスライダ（１、２１）をファッションバッグのファスナーＦに取り付けると体裁が良く（カッコ良く）且つ抵抗無くそのまま持ち歩くことができる。特に、ストラップを図２３に示すような取付具４に取り付けることができるのでマスコッコの動物や物を形取ったものを使用すればファッションバッグの売れ行きも良くなる。
【符号の説明】
【００４３】
１    スライダ
２    一方のスライダ部材
２Ａ  一方のスライダ部材の突起部
２Ｂ  一方のスライダ部材の底部
２Ｃ  一方のスライダ部材の嵌合方向の壁
２Ｅ  一方のスライダ部材の突出部
２Ｉ  一方のスライダ部材の突出部の突起
２Ｊ  一方のスライダ部材の突起部に続くスライド方向の突起部
２Ｐ  膨出部先端
２Ｑ  突起部のくびれ
３    他方のスライダ部材
３Ｃ  他方のスライダ部材の狭窄部
３Ｅ  凹溝
３Ｆ  他方のスライダ部材の穴
３Ｌ  他方のスライダ部材の穴の中の突起
４    取付具
【国際調査報告】
2010134222.tif 000033
2010134222.tif 000034
2010134222.tif 000035
2010134222.tif 000036